【手続補正書】
【提出日】平成15年8月21日(2003.8.21)
【手続補正１】
【補正対象書類名】明細書
【補正対象項目名】特許請求の範囲
【補正方法】変更
【補正の内容】
【特許請求の範囲】
【請求項１】
記録情報を一時的にバッファ手段に記憶するバッファ工程と、
前記バッファ手段より前記記録情報を読み出して所定の信号処理を施し、複数の誤り訂正単位からなる処理記録情報を生成する処理記録情報生成工程と、
当該処理記録情報を情報記録媒体に記録する記録工程と、
前記バッファ手段における前記記録情報の記憶量を検出する検出工程と、
前記検出された記憶量が第１の所定記憶量未満となったとき、前記誤り訂正単位内の所定位置において前記処理記録情報の記録を停止する停止工程と、
前記検出された記憶量が第２の所定記憶量以上となったとき、前記停止工程において記録が停止された前記誤り訂正単位の先頭を除く当該誤り訂正単位内のいずれかの位置から前記情報記録媒体への記録を再開する記録再開工程と、
を含むことを特徴とする情報記録方法。
【請求項２】
前記記録再開工程においては、前記記録が停止された誤り訂正単位内において記録停止前に記録された前記処理記録情報の一部が重ね書きされるように記録を再開することを特徴とする請求項１に記載の情報記録方法。
【請求項３】
前記誤り訂正単位の各々は複数の記録単位を含み、
前記記録再開工程において重ね書きされる範囲は、一の前記記録単位内であることを特徴とする請求項２に記載の情報記録方法。
【請求項４】
前記誤り訂正単位の各々は複数の記録単位を含み、
前記停止工程は、停止時点における前記記録単位である前記記録中記録単位を記憶する記憶工程を含むと共に、
前記記録再開工程においては、前記記憶した記録中記録単位以前に記録されるべき前記処理記録情報が含まれる前記記録単位から記録を再開することを特徴とする請求項１に記載の情報記録方法。
【請求項５】
前記停止工程においては、前記誤り訂正単位に含まれる前記記録単位のうち、当該誤り訂正単位の先頭から二番目の前記記録単位を前記記録中記録単位として前記処理記録情報の記録を停止し、
前記記録再開工程においては、当該記録中記録単位の先頭から前記処理記録情報の前記情報記録媒体への記録を再開することを特徴とする請求項４に記載の情報記録方法。
【請求項６】
前記記録情報は、外部のコンピュータ装置から出力されてくることを特徴とする請求項１乃至５のいずれか一に記載の情報記録方法。
【請求項７】
前記停止工程において、前記処理記録情報の記録を停止した後、前記バッファ手段における前記記録情報の記憶量が前記第１の所定記憶量未満のままであるとき、前記コンピュータ装置に対してエラー信号を送信することを特徴とする請求項６に記載の情報記録方法。
【請求項８】
前記第１の所定記憶量と第２の所定記憶量とは同一であることを特徴とする請求項１乃至７のいずれか一に記載の情報記録方法。
【請求項９】
前記第２の所定記憶量は前記第１の所定記憶量より大であることを特徴とする請求項１乃至７のいずれか一に記載の情報記録方法。
【請求項１０】
前記第２の所定記憶量は一の前記誤り訂正単位の情報量より大であることを特徴とする請求項１乃至９のいずれか一に記載の情報記録方法。
【請求項１１】
記録情報を一時的に記憶するバッファ手段と、
前記バッファ手段より前記記録情報を読み出して所定の信号処理を施し、複数の誤り訂正単位からなる処理記録情報を生成する処理記録情報生成手段と、
当該処理記録情報を情報記録媒体に記録する記録手段と、
前記バッファ手段における前記記録情報の記憶量を検出する検出手段と、
前記検出された記憶量が第１の所定記憶量未満となったとき、前記誤り訂正単位内の所定位置において前記処理記録情報の記録を停止する停止手段と、
前記検出された記憶量が第２の所定記憶量以上となったとき、前記停止手段により記録が停止された前記誤り訂正単位の先頭を除く当該誤り訂正単位内のいずれかの位置から前記情報記録媒体への記録を再開する記録再開手段と、
を備えることを特徴とする情報記録装置。
【請求項１２】
前記記録再開手段は、前記記録が停止された誤り訂正単位内において記録停止前に記録された前記処理記録情報の一部が重ね書きするように記録を再開することを特徴とする請求項１１に記載の情報記録装置。
【請求項１３】
前記誤り訂正単位の各々は複数の記録単位を含み、
前記記録再開手段により重ね書きされる範囲は、一の前記記録単位内であることを特徴とする請求項１２に記載の情報記録装置。
【請求項１４】
前記誤り訂正単位の各々は複数の記録単位を含み、
前記停止手段は、停止時点における前記記録単位である前記記録中記録単位を記憶する記憶手段を備えると共に、
前記記録再開手段は、前記記憶した記録中記録単位以前に記録されるべき前記処理記録情報が含まれる前記記録単位から記録を再開することを特徴とする請求項１１に記載の情報記録装置。
【請求項１５】
前記停止手段は、前記誤り訂正単位に含まれる前記記録単位のうち、当該誤り訂正単位の先頭から二番目の前記記録単位を前記記録中記録単位として前記処理記録情報の記録を停止し、
前記記録再開手段は、当該記録中記録単位の先頭から前記処理記録情報の前記情報記録媒体への記録を再開することを特徴とする請求項１４に記載の情報記録装置。
【請求項１６】
前記記録情報は、外部のコンピュータ装置から出力されてくることを特徴とする請求項１乃至５のいずれか一に記載の情報記録装置。
【請求項１７】
前記停止手段により前記処理記録情報の記録を停止した後、前記バッファ手段における前記記録情報の記憶量が前記第１の所定記憶量未満のままであるとき、前記コンピュータ装置に対してエラー信号を送信するエラー送信手段を更に備えることを特徴とする請求項１６に記載の情報記録装置。
【請求項１８】
前記第１の所定記憶量と第２の所定記憶量とは同一であることを特徴とする請求項１１乃至１７のいずれか一に記載の情報記録装置。
【請求項１９】
前記第２の所定記憶量は前記第１の所定記憶量より大であることを特徴とする請求項１１乃至１７のいずれか一に記載の情報記録装置。
【請求項２０】
前記第２の所定記憶量は一の前記誤り訂正単位の情報量より大であることを特徴とする請求項１１乃至１９のいずれか一に記載の情報記録装置。
【手続補正２】
【補正対象書類名】明細書
【補正対象項目名】００１０
【補正方法】変更
【補正の内容】
【００１０】
上記の課題を解決するために，請求項１に記載の発明は、記録情報を一時的にバッファ手段に記憶するバッファ工程と、前記バッファ手段より前記記録情報を読み出して所定の信号処理を施し、複数の誤り訂正単位からなる処理記録情報を生成する処理記録情報生成工程と、当該処理記録情報を情報記録媒体に記録する記録工程と、前記バッファ手段における前記記録情報の記憶量を検出する検出工程と、前記検出された記憶量が第１の所定記憶量未満となったとき、前記誤り訂正単位内の所定位置において前記処理記録情報の記録を停止する停止工程と、前記検出された記憶量が第２の所定記憶量以上となったとき、前記停止工程において記録が停止された前記誤り訂正単位の先頭を除く当該誤り訂正単位内のいずれかの位置から前記情報記録媒体への記録を再開する記録再開工程と、を含む。
【手続補正３】
【補正対象書類名】明細書
【補正対象項目名】００１１
【補正方法】変更
【補正の内容】
【００１１】
上記の課題を解決するために、請求項１１に記載の発明は、記録情報を一時的に記憶するバッファ手段と、前記バッファ手段より前記記録情報を読み出して所定の信号処理を施し、複数の誤り訂正単位からなる処理記録情報を生成する処理記録情報生成手段と、当該処理記録情報を情報記録媒体に記録する記録手段と、前記バッファ手段における前記記録情報の記憶量を検出する検出手段と、前記検出された記憶量が第１の所定記憶量未満となったとき、前記誤り訂正単位内の所定位置において前記処理記録情報の記録を停止する停止手段と、前記検出された記憶量が第２の所定記憶量以上となったとき、前記停止手段により記録が停止された前記誤り訂正単位の先頭を除く当該誤り訂正単位内のいずれかの位置から前記情報記録媒体への記録を再開する記録再開手段と、を備える。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】削除
【補正の内容】
【手続補正１８】
【補正対象書類名】明細書
【補正対象項目名】００２６
【補正方法】削除
【補正の内容】
【手続補正１９】
【補正対象書類名】明細書
【補正対象項目名】００２７
【補正方法】削除
【補正の内容】
【手続補正２０】
【補正対象書類名】明細書
【補正対象項目名】００２８
【補正方法】削除
【補正の内容】
【手続補正２１】
【補正対象書類名】明細書
【補正対象項目名】００２９
【補正方法】削除
【補正の内容】
【手続補正２２】
【補正対象書類名】明細書
【補正対象項目名】００３０
【補正方法】削除
【補正の内容】
【手続補正２３】
【補正対象書類名】明細書
【補正対象項目名】００３１
【補正方法】削除
【補正の内容】
【手続補正２４】
【補正対象書類名】明細書
【補正対象項目名】００３２
【補正方法】削除
【補正の内容】
【手続補正２５】
【補正対象書類名】明細書
【補正対象項目名】００３３
【補正方法】削除
【補正の内容】
【手続補正２６】
【補正対象書類名】明細書
【補正対象項目名】００３４
【補正方法】削除
【補正の内容】
【手続補正２７】
【補正対象書類名】明細書
【補正対象項目名】００３５
【補正方法】削除
【補正の内容】
【手続補正２８】
【補正対象書類名】明細書
【補正対象項目名】００３６
【補正方法】削除
【補正の内容】
【手続補正２９】
【補正対象書類名】明細書
【補正対象項目名】００３７
【補正方法】削除
【補正の内容】
【手続補正３０】
【補正対象書類名】明細書
【補正対象項目名】００７６
【補正方法】変更
【補正の内容】
【００７６】
以上説明したように、実施形態の記録動作によれば、バッファメモリ１０内のデータ量が所定のレベルＢ未満となったとき、ＥＣＣブロック３０の先頭から２番目のシンクフレーム４２内の後半部分において記録を一時的に停止し、当該データ量がレベルＢ（又はレベルＡ）以上に回復したとき当該ＥＣＣブロック３０の先頭から２番目のシンクフレーム４２の先頭から記録を再開するので、記録情報ＳＲにアンダーランが生じてバッファメモリ１０内のデータ量が低下しても、ＤＶＤ−Ｒ１に記録後のエンコード信号ＳＲＥを再生する際に、連続性を確保することができ、正確な再生が可能となる。
従って、正確且つ確実に記録情報ＳＲの記録再生が可能となる。
【手続補正３１】
【補正対象書類名】明細書
【補正対象項目名】００８３
【補正方法】削除
【補正の内容】
【手続補正３２】
【補正対象書類名】明細書
【補正対象項目名】００８４
【補正方法】削除
【補正の内容】
【手続補正３３】
【補正対象書類名】明細書
【補正対象項目名】００８５
【補正方法】削除
【補正の内容】
【手続補正３４】
【補正対象書類名】明細書
【補正対象項目名】００８６
【補正方法】削除
【補正の内容】
【手続補正３５】
【補正対象書類名】明細書
【補正対象項目名】００８７
【補正方法】削除
【補正の内容】
【手続補正３６】
【補正対象書類名】明細書
【補正対象項目名】００８８
【補正方法】削除
【補正の内容】
【手続補正３７】
【補正対象書類名】明細書
【補正対象項目名】００８９
【補正方法】削除
【補正の内容】
【手続補正３８】
【補正対象書類名】明細書
【補正対象項目名】００９０
【補正方法】削除
【補正の内容】
【手続補正３９】
【補正対象書類名】明細書
【補正対象項目名】００９１
【補正方法】削除
【補正の内容】
【手続補正４０】
【補正対象書類名】明細書
【補正対象項目名】００９２
【補正方法】削除
【補正の内容】
【手続補正４１】
【補正対象書類名】明細書
【補正対象項目名】００９３
【補正方法】削除
【補正の内容】
【手続補正４２】
【補正対象書類名】明細書
【補正対象項目名】００９４
【補正方法】削除
【補正の内容】